(57)【特許請求の範囲】
【請求項１】
移動体に配置され、質問電波を受信するとＩＤコードで変調した応答電波を発射するとともに表面にＩＤコード又はＩＤコードに対応した他のコードを印刷又は貼付けた応答器と、
店舗に配置され、質問電波を発射し、前記応答器からＩＤコードで変調した応答電波を受信すると応答電波からＩＤコードを取出して出力する質問器と、
店舗に配置され、前記応答器に印刷又は貼付けたＩＤコード又はＩＤコードに対応した他のコードを読取って入力するコード読取手段と、通報先連絡番号を入力する入力手段と、前記コード読取手段から入力したコードからＩＤコードを求め、このＩＤコードと前記入力手段から入力した通報先連絡番号を対応させて記憶する記憶装置と、顧客から捜索依頼があると、前記質問器に動作開始命令を送信するとともに、センターのホストコンピュータを介して他の店舗に配置された端末装置に、前記捜索依頼を知らせる手段と、前記質問器が前記応答器から受信した応答電波から取出したＩＤコードを受信し、前記記憶装置から受信したＩＤコードに対応した通報先連絡番号を読出し、この通報先連絡番号によって通信回線を介して店舗名、場所を自動通報する自動通報手段を設けた端末装置と
を備えたことを特徴とする所在捜索システム。
【請求項２】
移動体に配置され、質問電波を受信するとＩＤコードで変調した応答電波を発射する応答器と、
店舗に配置され、質問電波を発射し、前記応答器からＩＤコードで変調した応答電波を受信すると応答電波からＩＤコードを取出して出力する質問器と、
店舗に配置され、複数のＩＤコードに対応してそれぞれ通報先連絡番号を記憶した記憶装置と、この記憶装置に記憶したＩＤコードとこのＩＤコードに対応した通報先連絡番号を通信回線を介してセンターのホストコンピュータに送信するとともにこのホストコンピュータから新規のＩＤコードとこのＩＤコードに対応した通報先連絡番号を受信して前記記憶装置に追加記憶する送受信制御手段と、顧客から捜索依頼があると、前記質問器に動作開始命令を送信するとともに、前記センターのホストコンピュータを介して他の店舗に配置された端末装置に、前記捜索依頼を知らせる手段と、前記質問器が前記応答器から受信した応答電波から取出したＩＤコードを受信し、前記記憶装置から受信したＩＤコードに対応した通報先連絡番号を読出し、この通報先連絡番号によって通信回線を介して店舗名、場所を自動通報する自動通報手段を設けた端末装置とを備え、
前記ホストコンピュータは、各店舗の端末装置の送信手段が送信するＩＤコードとこのＩＤコードに対応した通報先連絡番号を受信して自己の記憶装置に記憶する手段と、この手段により自己の記憶装置にＩＤコードとこのＩＤコードに対応した通報先連絡番号を記憶すると、このＩＤコードと通報先連絡番号を送信した以外の店舗の端末装置にこのＩＤコードと通報先連絡番号を新規情報として送信する手段を設けたことを特徴とする所在捜索システム。
【請求項３】
移動体に配置され、質問電波を受信するとＩＤコードで変調した応答電波を発射する応答器、又は移動体に配置され、ＩＤコードで変調した電波を自発的に発射する発信器と、
店舗に配置され、質問電波を発射し、前記応答器からＩＤコードで変調した応答電波を受信すると応答電波からＩＤコードを取出して出力する質問器、又は前記発信器からＩＤコードで変調した電波を受信すると受信した電波からＩＤコードを取出して出力する受信器と、
店舗に配置され、複数のＩＤコードに対応してそれぞれ通報先連絡番号を記憶した記憶装置と、時刻を計時する計時手段と、店舗の位置情報を記憶した位置情報記憶手段と、前記質問器が前記応答器から受信した応答電波から取出したＩＤコード、又は前記受信器が前記発信器から受信した電波から取出したＩＤコードを受信し、前記記憶装置から受信したＩＤコードに対応した通報先連絡番号を読出し、この読出した通報先連絡番号を前記計時手段が現在計時している時刻情報及び前記位置情報記憶手段に記憶している店舗の位置情報とともに通信回線を介してセンターのホストコンピュータに送信する送信手段を設けた端末装置とを備え、
前記ホストコンピュータは、各店舗の端末装置の送信手段が送信する通報先連絡番号、時刻情報及び店舗の位置情報を受信して自己の記憶装置に記憶する手段と、通報先連絡番号の入力があると、前記自己の記憶装置を検索し、該当する通報先連絡番号があるとその通報先連絡番号に該当する時刻情報及び店舗の位置情報を前記自己の記憶装置から読出し、その読み出した時刻情報及び店舗の位置情報を通報先連絡番号に連絡する手段を設けたことを特徴とする所在捜索システム。
【請求項４】
移動体に配置され、質問電波を受信するとＩＤコードで変調した応答電波を発射する応答器、又は移動体に配置され、ＩＤコードで変調した電波を自発的に発射する発信器と、
店舗に配置され、質問電波を発射し、前記応答器からＩＤコードで変調した応答電波を受信すると応答電波からＩＤコードを取出して出力する質問器、又は前記発信器からＩＤコードで変調した電波を受信すると受信した電波からＩＤコードを取出して出力する受信器と、
店舗に配置され、複数のＩＤコードに対応してそれぞれ通報先連絡番号を記憶した記憶装置と、時刻を計時する計時手段と、地図を含む店舗の位置情報を記憶した位置情報記憶手段と、前記質問器が前記応答器から受信した応答電波から取出したＩＤコード、又は前記受信器が前記発信器から受信した電波から取出したＩＤコードを受信し、前記記憶装置から受信したＩＤコードに対応した通報先連絡番号を読出し、この読出した通報先連絡番号を前記計時手段が現在計時している時刻情報及び前記位置情報記憶手段に記憶している店舗の位置情報とともに通信回線を介してセンターのホストコンピュータに送信する送信手段を設けた端末装置とを備え、
前記ホストコンピュータは、各店舗の端末装置の送信手段が送信する通報先連絡番号、時刻情報及び地図を含む店舗の位置情報を受信して自己の記憶装置に記憶する手段と、通報先連絡番号の入力があると、前記自己の記憶装置を検索し、該当する通報先連絡番号があるとその通報先連絡番号に該当する時刻情報及び地図を含む店舗の位置情報を前記自己の記憶装置から読出し画像情報として通報先連絡番号に送信する手段を設けたことを特徴とする所在捜索システム。
【請求項５】
移動体に配置され、ＩＤコードで変調した電波を自発的に発射するとともに表面にＩＤコード又はＩＤコードに対応した他のコードを印刷又は貼付けた発信器と、
店舗に配置され、前記発信器からＩＤコードで変調した電波を受信すると受信した電波からＩＤコードを取出して出力する受信器と、
店舗に配置され、前記発信器に印刷又は貼付けたＩＤコード又はＩＤコードに対応した他のコードを読取って入力するコード読取手段と、通報先連絡番号を入力する入力手段と、前記コード読取手段から入力したコードからＩＤコードを求め、このＩＤコードと前記入力手段から入力した通報先連絡番号を対応させて記憶する記憶装置と、前記受信器が前記発信器から受信した電波から取出したＩＤコードを受信し、前記記憶装置から受信したＩＤコードに対応した通報先連絡番号を読出し、この通報先連絡番号によって通信回線を介して店舗名、場所を自動通報する自動通報手段を設けた端末装置と
を備えたことを特徴とする所在捜索システム。
【請求項６】
移動体に配置され、ＩＤコードで変調した電波を自発的に発射する発信器と、
店舗に配置され、前記発信器からＩＤコードで変調した電波を受信すると受信した電波からＩＤコードを取出して出力する受信器と、
店舗に配置され、複数のＩＤコードに対応してそれぞれ通報先連絡番号を記憶した記憶装置と、この記憶装置に記憶したＩＤコードとこのＩＤコードに対応した通報先連絡番号を通信回線を介してセンターのホストコンピュータに送信するとともにこのホストコンピュータから新規のＩＤコードとこのＩＤコードに対応した通報先連絡番号を受信して前記記憶装置に追加記憶する送受信制御手段と、前記受信器が前記発信器から受信した電波から取出したＩＤコードを受信し、前記記憶装置から受信したＩＤコードに対応した通報先連絡番号を読出し、この通報先連絡番号によって通信回線を介して店舗名、場所を自動通報する自動通報手段を設けた端末装置とを備え、
前記ホストコンピュータは、各店舗の端末装置の送信手段が送信するＩＤコードとこのＩＤコードに対応した通報先連絡番号を受信して自己の記憶装置に記憶する手段と、この手段により自己の記憶装置にＩＤコードとこのＩＤコードに対応した通報先連絡番号を記憶すると、このＩＤコードと通報先連絡番号を送信した以外の店舗の端末装置にこのＩＤコードと通報先連絡番号を新規情報として送信する手段を設けたことを特徴とする所在捜索システム。
【発明の詳細な説明】
【０００１】
【発明の属する技術分野】
本発明は、人や車などの移動体の所在を捜索する所在捜索システムに関する。
【０００２】
【従来の技術】
例えば、人の所在を電波を利用して捜索するシステムとしては、雑誌「日経エレクトロニクス」の１９９６年７月１５日付１２５頁から１２７頁に記載されているように、ＰＨＳ（Personal Handyphone System）を使用したものがある。これは、ＰＨＳ端末を人に携帯させ、このＰＨＳ端末が自動送信する電波を３つの基地局が受信し、それぞれの受信点での電界強度をセンターに送り、センターでは三角測量の原理でＰＨＳ端末の位置、すなわち、人の位置を推定するというものである。
【０００３】
また、特開平８−６５４１３号公報に記載されているものは、携帯電話とＧＰＳ（Grobal Positioning System ）受信機を複合した装置を人に携帯させる方式で、この装置を例えば保護の必要な人に携帯させ、保護者から保護の必要な人の携帯電話に着信すると、自動的にＧＰＳから得た現在の位置情報を携帯電話から保護者に送信するというものである。
【０００４】
【発明が解決しようとする課題】
前者のＰＨＳ端末を使用したものは、１つの基地局にアクセスできる子局は３台までと制約があるため、都心部のようにＰＨＳ端末の使用者が多い場合には接続できない状況が発生することがあり、また、住宅街などの郊外では基地局が少なく、このため、緊急かつ確実性が要求される捜索には適さない問題があった。
【０００５】
また、後者の携帯電話とＧＰＳ受信機を複合した装置を使用するものでは、携帯電話の通話エリアであること、ＧＰＳ電波が受信可能な場所であることの２つの条件が成立しなければ機能しないため、やはり緊急かつ確実性が要求される捜索には適さない問題があった。
【０００６】
また、両者には、常時携帯するには大きく重いという共通の問題もあり、例えば、衣服に縫い付けて携帯するような使い方には不向きであった。さらに、携帯電話は送信電波が心臓ペースメーカに悪影響を及ぼすという問題もある。
【０００７】
そこで、本発明は、人などの移動体に配置する機器を小型軽量化でき、従って、常時携帯が容易にでき、かつ、心臓ペースメーカに悪影響を及ぼすことがなく、また、基地局との無線接続状態や衛星電波の受信状態などの制約がなく確実な所在捜索ができる所在捜索システムを提供する。
【０００８】
また、本発明は、さらに人などの移動体に配置する機器に対応したＩＤコードと通報先連絡番号を捜索のための情報として登録する場合に、登録が迅速にできる所在捜索システムを提供する。
【０００９】
また、本発明は、さらに、緊急かつ確実性が要求される捜索に十分に適した所在捜索システムを提供する。
【００１１】
【課題を解決するための手段】
本発明は、移動体に配置され、質問電波を受信するとＩＤコードで変調した応答電波を発射するとともに表面にＩＤコード又はＩＤコードに対応した他のコードを印刷又は貼付けた応答器と、店舗に配置され、質問電波を発射し、応答器からＩＤコードで変調した応答電波を受信すると応答電波からＩＤコードを取出して出力する質問器と、店舗に配置され、応答器に印刷又は貼付けたＩＤコード又はＩＤコードに対応した他のコードを読取って入力するコード読取手段と、通報先連絡番号を入力する入力手段と、コード読取手段から入力したコードからＩＤコードを求め、このＩＤコードと入力手段から入力した通報先連絡番号を対応させて記憶する記憶装置と、顧客から捜索依頼があると、質問器に動作開始命令を送信するとともに、センターのホストコンピュータを介して他の店舗に配置された端末装置に、捜索依頼を知らせる手段と、質問器が応答器から受信した応答電波から取出したＩＤコードを受信し、記憶装置から受信したＩＤコードに対応した通報先連絡番号を読出し、この通報先連絡番号によって通信回線を介して店舗名、場所を自動通報する自動通報手段を設けた端末装置とを備えたものである。
【００１２】
本発明は、移動体に配置され、質問電波を受信するとＩＤコードで変調した応答電波を発射する応答器と、店舗に配置され、質問電波を発射し、応答器からＩＤコードで変調した応答電波を受信すると応答電波からＩＤコードを取出して出力する質問器と、店舗に配置され、複数のＩＤコードに対応してそれぞれ通報先連絡番号を記憶した記憶装置と、この記憶装置に記憶したＩＤコードとこのＩＤコードに対応した通報先連絡番号を通信回線を介してセンターのホストコンピュータに送信するとともにこのホストコンピュータから新規のＩＤコードとこのＩＤコードに対応した通報先連絡番号を受信して記憶装置に追加記憶する送受信制御手段、顧客から捜索依頼があると、質問器に動作開始命令を送信するとともに、センターのホストコンピュータを介して他の店舗に配置された端末装置に、捜索依頼を知らせる手段と、質問器が応答器から受信した応答電波から取出したＩＤコードを受信し、記憶装置から受信したＩＤコードに対応した通報先連絡番号を読出し、この通報先連絡番号によって通信回線を介して店舗名、場所を自動通報する自動通報手段を設けた端末装置とを備え、ホストコンピュータは、各店舗の端末装置の送信手段が送信するＩＤコードとこのＩＤコードに対応した通報先連絡番号を受信して自己の記憶装置に記憶する手段と、この手段により自己の記憶装置にＩＤコードとこのＩＤコードに対応した通報先連絡番号を記憶すると、このＩＤコードと通報先連絡番号を送信した以外の店舗の端末装置にこのＩＤコードと通報先連絡番号を新規情報として送信する手段を設けたものである。
【００１３】
本発明は、移動体に配置され、質問電波を受信するとＩＤコードで変調した応答電波を発射する応答器、又は移動体に配置され、ＩＤコードで変調した電波を自発的に発射する発信器と、店舗に配置され、質問電波を発射し、応答器からＩＤコードで変調した応答電波を受信すると応答電波からＩＤコードを取出して出力する質問器、又は発信器からＩＤコードで変調した電波を受信すると受信した電波からＩＤコードを取出して出力する受信器と、店舗に配置され、複数のＩＤコードに対応してそれぞれ通報先連絡番号を記憶した記憶装置、時刻を計時する計時手段、店舗の位置情報を記憶した位置情報記憶手段、質問器が応答器から受信した応答電波から取出したＩＤコード、又は受信器が発信器から受信した電波から取出したＩＤコードを受信し、記憶装置から受信したＩＤコードに対応した通報先連絡番号を読出し、この読出した通報先連絡番号を計時手段が現在計時している時刻情報及び位置情報記憶手段に記憶している店舗の位置情報とともに通信回線を介してセンターのホストコンピュータに送信する送信手段を設けた端末装置とを備え、ホストコンピュータは、各店舗の端末装置の送信手段が送信する通報先連絡番号、時刻情報及び店舗の位置情報を受信して自己の記憶装置に記憶する手段と、通報先連絡番号の入力があると、自己の記憶装置を検索し、該当する通報先連絡番号があるとその通報先連絡番号に該当する時刻情報及び店舗の位置情報を自己の記憶装置から読出し、その読み出した時刻情報及び店舗の位置情報を通報先連絡番号に連絡する手段を設けたものである。
【００１４】
本発明は、移動体に配置され、質問電波を受信するとＩＤコードで変調した応答電波を発射する応答器、又は移動体に配置され、ＩＤコードで変調した電波を自発的に発射する発信器と、店舗に配置され、質問電波を発射し、応答器からＩＤコードで変調した応答電波を受信すると応答電波からＩＤコードを取出して出力する質問器、又は発信器からＩＤコードで変調した電波を受信すると受信した電波からＩＤコードを取出して出力する受信器と、店舗に配置され、複数のＩＤコードに対応してそれぞれ通報先連絡番号を記憶した記憶装置と、時刻を計時する計時手段、地図を含む店舗の位置情報を記憶した位置情報記憶手段、質問器が応答器から受信した応答電波から取出したＩＤコード、又は受信器が発信器から受信した電波から取出したＩＤコードを受信し、記憶装置から受信したＩＤコードに対応した通報先連絡番号を読出し、この読出した通報先連絡番号を計時手段が現在計時している時刻情報及び位置情報記憶手段に記憶している店舗の位置情報とともに通信回線を介してセンターのホストコンピュータに送信する送信手段を設けた端末装置とを備え、ホストコンピュータは、各店舗の端末装置の送信手段が送信する通報先連絡番号、時刻情報及び地図を含む店舗の位置情報を受信して自己の記憶装置に記憶する手段と、通報先連絡番号の入力があると、自己の記憶装置を検索し、該当する通報先連絡番号があるとその通報先連絡番号に該当する時刻情報及び地図を含む店舗の位置情報を自己の記憶装置から読出し画像情報として通報先連絡番号に送信する手段を設けたものである。
【００１５】
【発明の実施の形態】
以下、本発明の実施の形態を図面を参照して説明する。
（第１の実施の形態）
この実施の形態は、質問器と応答器からなる移動識別装置を使用し、質問器を店舗に配置するとともに応答器を移動体、例えば人に配置した場合を述べる。
【００１６】
図１に示すように、店舗Ｓ1 に質問電波を発射し応答器１からＩＤコードで変調した応答電波を受信すると応答電波からＩＤコードを取出して出力する質問器２、この質問器２からＩＤコードを受信する端末装置、例えば、店舗Ｓ1 内において商品の販売登録処理を行うＰＯＳ端末装置３、このＰＯＳ端末装置３に接続し、商品からバーコードを読み取って商品情報を入力するバーコードスキャナー４を配置している。他の店舗Ｓ2 〜Ｓn も同様に質問器、ＰＯＳ端末装置、バーコードスキャナーを配置している。
【００１７】
そして、各店舗Ｓ1 〜Ｓn のＰＯＳ端末装置３は通信手段を備え、通信回線、例えば公衆電話網５を介してセンターＳＴに設けたホストコンピュータ６に接続している。前記ホストコンピュータ６には記憶装置７が接続している。
前記質問器２は、図２に示すように、例えば、店舗Ｓ1 における道路Ｌに面した外側壁の上部に取り付けている。前記応答器１は、例えば保護の必要な人Ｍの衣服などに固定するようになっている。なお、前記質問器２の取付け位置はこれに限定するものではなく、道路付近の支柱やその他の構造物に取り付けてもよい。
【００１８】
前記質問器２と応答器１との関係は、前記質問器２が常時質問電波を発射し、前記応答器１が質問器２と送受信できる範囲内に入ると、前記応答器１が質問器２からの質問電波を受信しＩＤコードで変調した応答電波を発射するようになっている。前記質問器２は、応答器１からＩＤコードで変調した応答電波を受信すると応答電波からＩＤコードを取出して前記ＰＯＳ端末装置３に出力するようになっている。前記質問器２と応答器１との無線方式には、電波法施行規則第３条第１項第１８号に規定される構内無線局の２．４ＧＨz 帯を使用している。
【００１９】
例えば、質問器２に最大絶対利得２０ｄＢの指向性アンテナを配置し、応答器１に絶対利得２．１４ｄＢのダイポールアンテナを用いた場合、質問器側アンテナの指向性最大利得方向で質問器２と応答器１が送受信できる範囲は、応答器１が電池を持たない受動反射型の場合は約２ｍで、電池式再送信型の場合は約１０ｍとなる。
【００２０】
この実施の形態では、前記質問器２としては、図３に示すように、送信用平面パッチアンテナ２１、受信用平面パッチアンテナ２２、送信用平面パッチアンテナ２１に接続した送信部２３、受信用平面パッチアンテナ２２に接続した受信部２４及び前記送信部２３、受信部２４を制御するとともに前記ＰＯＳ端末装置３との通信を行うマイクロコンピュータからなる制御部２５により構成している。送受信の電力効率を改善するために前記各平面パッチアンテナ２１、２２には、図４の(a) に示すＨ面内指向性と図４の(b) に示すＥ面内指向性の狭い指向性パターンを持たせ、最大利得方向で絶対利得１０ｄＢを得るようにしている。
【００２１】
前記送信部２３は、前記制御部２５による制御で約１秒に１０回の頻度で間欠的に３００ｍＷの搬送波を前記送信用アンテナ２１に供給するようになっている。前記受信部２４は、前記受信用アンテナ２２からの受信信号を復調し、復調データを前記制御部２５に供給するようになっている。前記制御部２５は受信部２４からの復調データを前記ＰＯＳ端末装置３に送信するようになっている。また、前記制御部２５は、前記ＰＯＳ端末装置３からの命令により質問電波の間欠送信の開始及び停止を制御するようになっている。
【００２２】
前記応答器１は、図５に示すように、長方形状でかつ長手方向の両端を三角形状に突出した板状の樹脂筐体１１内に各回路部を形成した回路基板１２を埋設するとともに前記筐体１１の表面にこの応答器１に設定されているＩＤコードに対応したバーコード１３を印刷し、かつ三角形状の突出部に衣服にこの応答器１を固定するためのスナップボタン１４ａ，１４ｂを取付けた構成になっている。
【００２３】
前記応答器１は、例えば、受動反射型で、前記回路基板１２には図６に示す回路を形成している。すなわち、プリントパターンで形成した送受信兼用のダイポールアンテナ１５と、検波器１６と、電圧安定化回路１７と、高周波スイッチ１８と、ＣＰＵ１９と、ＲＯＭ２０を備え、前記質問器２からの質問電波をダイポールアンテナ１５で受信し、検波器１６と電圧安定化回路１７とで直流に整流、安定化し前記ＣＰＵ１９、ＲＯＭ２０及び高周波スイッチ１８に電源として供給している。この電源が供給されると、前記ＣＰＵ１９は、ＲＯＭ２０に格納しているＩＤコードを読出し、その内容、すなわち、デジタル符号０と１からなるビット列に従って前記高周波スイッチ１８を開閉制御するようになっている。
【００２４】
例えば、デジタル符号が０のときは開制御し、１のときは閉制御し、高周波スイッチ１８が開のときには前記ダイポールアンテナ１５の給電点インピーダンスと検波器１６の入力インピーダンスは整合するので両者の接続点での電力反射は小さく、受信した電力の大半は検波器１６以降に伝達するようになる。しかし、高周波スイッチ１８が閉のときには前記ダイポールアンテナ１５の給電点が短絡されるのでインピーダンス不整合状態となり、ダイポールアンテナ１５が受信した高周波電力はこの短絡点で全反射を起こし、再びダイポールアンテナ１５から空間へ再放射される。この再放射された電波が応答電波として前記質問器２で受信されることになる。この応答電波は高周波スイッチ１８の開閉動作に対応し、応答器１のＩＤコードに従ってＡＳＫ（Amplitude Shyft Keying）変調されている。
【００２５】
前記ＰＯＳ端末装置３は、図７に示すように、ＣＰＵ（中央処理装置）３１、このＣＰＵ３１が各部を制御するためのプログラムデータ等を格納したＲＯＭ３２、データ処理やデータ登録等に使用するＲＡＭ３３、前記バーコードスキャナ４からのバーコードデータの入力処理を行うスキャナインターフェース３４、前記質問器２への命令の出力や前記質問器２からの復調データの入力処理を行う質問器インターフェース３５、店舗内の商品について商品コード毎に商品名、単価等を設定したファイルや商品コード毎に売上合計金額や売上合計点数等を管理するファイル等を備え、商品販売についてのデータを一括管理するストアプロセッサとデータの送受信を行う上位機器インターフェース３６、前記公衆電話網５を介してセンターＳＴのホストコンピュータ６との通信を制御する通信モデム３７、Ｉ／Ｏポート３８を設け、前記ＣＰＵ３１とＲＯＭ３２、ＲＡＭ３３、各インターフェース３４，３５，３６、通信制御部３７及びＩ／Ｏポート３８とはバスライン３９を介して接続している。そして、前記Ｉ／Ｏポート３８に、各種キーを備えたキーボード４０、レシートやジャーナルへの商品登録データの印字を行うプリンタ４１、商品登録データの表示等を行うディスプレイ４２、ドロワを開放駆動するドロワ開放機構部４３及び所在捜索情報である応答器１のＩＤコードとこれに対応する通報先電話番号を多数格納できるハードディスク装置４４をそれぞれ接続している。
【００２６】
前記ＰＯＳ端末装置３は、通常の登録業務では、前記バーコードスキャナ４が商品からバーコードを読み取って得た商品コードをスキャナインターフェース３４を介して取り込み、ＲＡＭ３３に一旦格納した後、上位機器インターフェース３６を介してストアプロセッサに商品コードを問い合わせ、ストアプロセッサからこの商品コードに対応する商品名、単価等を受取ってＲＡＭ３３に格納するとともにディスプレイ４２に表示する。このとき、同一商品について複数個登録する場合はキーボード４０から個数を入力し、ディスプレイ４２には単価×個数の金額を表示する。また、プリンタ４１によりレシート及びジャーナルに商品名、単価等を印字する。
【００２７】
以上の商品の登録処理を顧客の購入する商品について繰返し行い、最後にキーボード４０にて登録の締めキーを操作すると、この顧客について登録して商品の合計金額を算出してディスプレイ４２に表示し、また、プリンタ４１によりレシート及びジャーナルに合計金額を印字してレシートを発行する。そして、ディスプレイ４２に表示した合計金額に基づいて顧客は支払いを行う。また、この顧客について登録した一連のデータ及び合計データを上位機器インターフェース３６を介してストアプロセッサに送信し、ストアプロセッサはこれを受信してファイルを更新する。
【００２８】
以上は、ＰＯＳ端末装置３が行う通常の登録業務で、ＣＰＵ３１がプログラムに基づいて処理を行うが、このＰＯＳ端末装置３のＣＰＵ３１はさらに以下に述べる捜索情報の登録処理も行うようになっている。なお、捜索情報の登録処理への切換えは、例えば、キーボード４０の特定キー操作により行う。
すなわち、顧客が店舗内で販売している応答器１を持参すると、キーボード４０上の特定キーを操作して、応答器１に印刷してあるバーコードをバーコードスキャナ４で読取る。この読取ったデータはスキャナインターフェース３４を介して取り込まれ、ＣＰＵ３１はこのデータを数値、すなわち、ＩＤコードに変換してＲＡＭ３３に一旦格納する。
【００２９】
一方、顧客から通報先連絡電話番号を聞いてキーボード４０上のキー操作により入力する。ＣＰＵ３１は先に入力したＩＤコードとこの通報先連絡電話番号を対応させてハードディスク装置４４のハードディスクに格納する。また、ＣＰＵ３１はハードディスクに格納したＩＤコードと通報先連絡電話番号を通信モデム３７を制御して前記センターＳＴのホストコンピュータ６に公衆電話網５を介して送信する。ホストコンピュータ６は受信したＩＤコードと通報先連絡電話番号を新規捜索情報として記憶装置７に追加登録する。また、ホストコンピュータ６は追加登録した新規捜索情報を他の店舗のＰＯＳ端末装置に送信する。他の店舗のＰＯＳ端末装置は、ホストコンピュータ６から受信した新規捜索情報を自己のハードディスク装置のハードディスクに格納する。
以上の処理を行うことで各店舗のハードディスク装置には共通にＩＤコードと通報先連絡電話番号からなる捜索情報を格納できることになる。
【００３０】
そして、顧客から捜索依頼があると、例えば、キーボード４０にて対応する応答器の通報先連絡電話番号をキー入力する。これにより、ＣＰＵ３１は、質問器インターフェース３５を介して質問器２に動作開始命令を送信する。また、ＣＰＵ３１はこの依頼情報をセンターＳＴのホストコンピュータ６を経由して他の店舗のＰＯＳ端末装置にも知らせる。これにより他の店舗のＰＯＳ端末装置も同様の質問器に動作開始命令を送信するようになる。動作開始命令を受信した質問器２は質問電波を道路Ｌ面に向けて発射するようになる。
【００３１】
この状態で質問器２が応答器１と送受信できる範囲に応答器１を身に付けた人が入ってくると、応答器１が質問器２からの質問電波を受信してＩＤコードで変調した応答電波を発射するようになる。この応答電波を質問器２が受信し復調し復調データとしてＰＯＳ端末装置３に送信する。ＰＯＳ端末装置３のＣＰＵ３１は質問器インターフェース３５を介して受信した復調データをＩＤコードに変換し、ハードディスク装置４４に格納されているＩＤコードと照合し該当するＩＤコードを検索する。該当するＩＤコードを検索すると、このＩＤコードに対応した通報先連絡電話番号を読出し通信モデム３７を介して通報先に自動的に電話をかける。また、ＣＰＵ３１には時刻の計時機能があり、ハードディスク装置４４には店舗名と場所の情報が格納されており、ＣＰＵ３１は音声の合成音処理を行って通報先に音声合成音で応答器１を発見した店舗名、場所、時刻を伝える。
【００３２】
このように所在捜索システムでは、応答器１の構成が極めて小形化で軽量化でき、常時携帯が容易にできる。そして人の衣服に縫い付けるなどすれば、応答器１が紛失することも防止できる。また、応答器１が発射する応答電波はきわめて微弱なので心臓ペースメーカに悪影響を及ぼすおそれもない。
また、ＰＨＳのような基地局との無線接続状態やＧＰＳのような衛星電波の受信状態などの制約がなく、質問器２送受信できる範囲に応答器１が入ることで確実な所在捜索ができる。また、ＰＨＳのように一般利用者も携帯するということがないので、関係のない一般利用者の現在位置まで捜索することによるプライバシーの侵害という問題は発生しない。
【００３３】
また、店舗内で販売している応答器１を顧客が持参すればＰＯＳ端末装置３のバーコードスキャナ４とキーボード４０により応答器１に対応したＩＤコードと通報先連絡電話番号を捜索情報として直ちにハードディスク装置４４に登録することができ、迅速な対応ができる。従って、顧客は応答器１を持ち帰って保護を必要とする人の衣服に縫い付ければ直ちに使用可能となる。
【００３４】
また、１つの店舗のＰＯＳ端末装置３で捜索情報の登録を行えば、センターＳＴのホストコンピュータ６を介して他の店舗のＰＯＳ端末装置にもその捜索情報が自動的に登録されるので、広範囲にわたって応答器１の所在捜索が可能となり、特に、店舗は都心、郊外を問わず非常に多く点在しているので、緊急かつ確実性が要求される捜索に十分に適したシステムを構築することができる。
【００３５】
なお、この実施の形態では応答器１として、受動反射型の応答器を使用した例について述べたが、応答器１として電池式再送信型の応答器も使用できる。
電池式再送信型の応答器は、図８に示すように、プリントパターンで形成した質問電波検出用のダイポールアンテナ５１、受信用のダイポールアンテナ５２及び再送信用のダイポールアンテナ５３の３本のダイポールアンテナを備え、質問器２からの質問電波を質問電波検出用ダイポールアンテナ５１で受信して検波器５４で直流電圧に変換し検出部５５に供給する。そして、この検出部５５で直流電圧と基準電圧を比較し、直流電圧が基準電圧を越えると、検出部５５はＣＰＵ５６に質問電波を受信したことを示す信号を供給する。質問電波の受信を知ったＣＰＵ５６は、ＲＯＭ５７からＩＤコードを読出し、そのＩＤコードを直列のビット列として変調部５８に供給する。この変調部５８は、入力するビット列に従って前記受信用ダイポールアンテナ５２が受信する高周波信号をＡＳＫ変調し、前記再送信用ダイポールアンテナ５３から応答電波として発射する構成になっている。この応答器は電池５９を内蔵し、検波器５４、検出部５５、ＣＰＵ５６、ＲＯＭ５７、変調部５８にそれぞれ電源供給を行うようになっている。
このような電池式再送信型応答器を使用しても上述した実施の形態と同様の作用効果が得られるものである。
【００３６】
（第２の実施の形態）
この実施の形態は、発信器と受信器からなる移動識別装置を使用し、受信器を店舗に配置するとともに発信器を移動体、例えば人に配置した場合を述べる。なお、第１の実施の形態と同一の部分には同一の符号を付し、異なる点について述べる。
これは、図９に示すように、第１の実施の形態における応答器１を発信器６１、質問器２を受信器６２に置き換えたものである。
【００３７】
前記受信器６２は、図１０に示すように、例えば、店舗Ｓ1 における道路Ｌに面した外側壁の上部に取り付けている。前記発信器６１は、例えば保護の必要な人Ｍの衣服などに固定するようになっている。なお、前記受信器６２の取付け位置はこれに限定するものではなく、道路付近の支柱やその他の構造物に取り付けてもよい。
【００３８】
前記発信器６１と受信器６２との無線方式は、３２０ＭＨz 帯の微弱電波を使用し、受信器６２側に最大絶対利得１０ｄＢの５素子八木アンテナを用いた場合、受信器側アンテナの指向性最大利得方向で受信器６２が受信できる実用範囲は約２０ｍである。
【００３９】
前記受信器６２は、図１１に示すように、最大絶対利得１０ｄＢの５素子八木アンテナからなる受信アンテナ６２１を備え、前記発信器６１からの３２０ＭＨz の電波をこの受信アンテナ６２１で受信し、低ノイズ増幅器６２２で増幅した後、周波数変換器６２３で局部発信器６２４からの３２０．４５５ＭＨz の局部発信信号と混合して４５５ＫＨz の中間周波数信号に変換している。この中間周波数信号を復調器６２５でアナログ検波信号に復調した後、電圧コンパレータからなる２値化回路６２６で２値化してデジタルなＩＤコードを取出し、このＩＤコードをマイクロコンピュータ６２７に供給している。
【００４０】
前記マイクロコンピュータ６２７は、ＩＤコードをＰＯＳ端末装置３に送信し、ＰＯＳ端末装置３は、ＩＤコードを質問器インターフェースに代えて設けた受信器インタフェースを介して取込むようになっている。前記マイクロコンピュータ６２７は、ＰＯＳ端末装置３からの命令により受信器６２の受信動作の開始及び停止を制御するようになっている。
【００４１】
前記発信器６１は、図１２に示すように、水晶振動子による発信逓倍を行う発信逓倍回路６１１を備え、この発信逓倍回路６１１から３２０ＭＨz の搬送波をＡＳＫ変調器６１２に供給している。また、ＣＰＵ６１３を設け、このＣＰＵ６１３はＲＯＭ６１４からＩＤコードを読出し直列のビット列として前記ＡＳＫ変調器６１２に供給している。前記ＡＳＫ変調器６１２は、発信逓倍回路６１１からの搬送波をＣＰＵ６１３からのＩＤコードによってＡＳＫ変調する。前記ＡＳＫ変調器６１２からの変調信号を高周波増幅器６１５で増幅した後、送信用ループアンテナ６１６から発射するようになっている。
【００４２】
この発信器６１は、電池６１７を内蔵し、この電池６１７の出力を間欠動作制御回路６１８を介して前記発信逓倍回路６１１、ＡＳＫ変調器６１２、ＣＰＵ６１３、ＲＯＭ６１４、高周波増幅器６１５に０．５ｓｅｃ毎に５０ｍｓｅｃというデューティサイクルで間欠的に供給している。従って、この発信器６１からの電波の発射は、５０ｍｓｅｃの間繰返しＩＤコードを送信した後、０．５ｓｅｃ間送信を停止し、その後再度５０ｍｓｅｃの間ＩＤコードを送信するという動作を繰返すようになっている。
【００４３】
このように発信器６１と受信器６２からなる移動識別装置を使用した場合においても、受信器６２が受信できる実用範囲内に発信器６１を身に付けた人が入ると、受信器６２は発信器６１から発射される電波を確実に受信して復調し、復調データをＰＯＳ端末装置３に送信することができる。しかも、発信器６１は小形化、軽量化を図ることができる。
従って、この所在捜索システムにおいても第１の実施の形態の所在捜索システムと同様の作用効果が得られるものである。
【００４４】
前述した各実施の形態においては、各店舗において質問器２又は受信器６２が応答器１からの応答電波又は発信器６１が発信する電波を受信してＰＯＳ端末装置３に復調データを送信し、ＰＯＳ端末装置３は復調データからＩＤコードを得てハードディスク装置４４に格納されているＩＤコードと照合検索して該当する通報先連絡電話番号を読出し、通報先に自動的に電話して応答器１又は発信器６１を発見した店舗名、場所、時刻を伝えるようにしたが必ずしもこれに限定するものではなく、例えば、顧客からセンターＳＴに対して捜索状況の問合わせがあったとき、センターＳＴのオペレータがホストコンピュータ６のキーボードから該当する通報先連絡電話番号を入力し、これによりホストコンピュータ６が記憶装置７から該当する通報先連絡電話番号を検索し、該当する通報先連絡電話番号があればホストコンピュータ６が各店舗のＰＯＳ端末装置３に捜索状況の問合わせを行って得た情報を通報先連絡電話番号に通報する構成であってもよい。
【００４５】
なお、通報先への通報は通報先連絡電話番号に基づく電話連絡に限定するものではなく、ホストコンピュータ６に顧客のパーソナルコンピュータが接続していれば電子メール等で連絡する構成であってもよい。また、通信回線としては電話回線に限定するものではなくＩＳＤＮ回線であってもよい。
【００４６】
また、センターＳＴの記憶装置７に捜索対象となる場所の地図情報を格納しておき、顧客から問合わせがあったときに、ホストコンピュータ６が各店舗のＰＯＳ端末装置３からの捜索情報に基づいて図１３に示すように該当する地図上に通過場所とそのときの時刻及び現在の推定位置を表示した画面をディスプレイ上に表示し、さらにその画面情報を顧客のパーソナルコンピュータに電子メールとして送信するものであってもよい。
【００４７】
また、顧客がファクシミリ装置を持っている場合には、ホストコンピュータ６が該当する地図上に通過場所とそのときの時刻及び現在の推定位置を表示した画面をプリンタで印刷し、この印刷したものをオペレータが顧客のファクシミリ装置に送信するものであってもよい。
【００４８】
また、各実施の形態では、移動体を人とし、この人に応答器又は発信器を取り付けた場合について述べたが必ずしもこれに限定するものではなく、移動体を例えば車イスとし、この車イスに応答器又は発信器を取り付けたものであってもよい。
なお、本発明は、これらのものに限定するものではなく、本発明の要旨を逸脱しない範囲で種々変形が可能である。
【００４９】
【発明の効果】
以上、本発明によれば、人などの移動体に配置する機器を小型軽量化でき、従って、常時携帯が容易にでき、かつ、心臓ペースメーカに悪影響を及ぼすことがなく、また、基地局との無線接続状態や衛星電波の受信状態などの制約がなく確実な所在捜索ができる。
また、本発明によれば、さらに人などの移動体に配置する機器に対応したＩＤコードと通報先連絡番号を捜索のための情報として登録する場合に、登録が迅速にできる。
また、本発明によれば、さらに、多数の店舗の端末装置を通信回線を介してホストコンピュータに接続してネットワーク化することにより、緊急かつ確実性が要求される捜索に十分に適したシステムを構築できる。
【図面の簡単な説明】
【図１】本発明の第１の実施の形態を示すシステム全体のブロック図。
【図２】同実施の形態における質問器と応答器との送受信時の位置関係を示す部分斜視図。
【図３】同実施の形態における質問器の構成を示すブロック図。
【図４】同実施の形態における質問器のアンテナの指向性パターンを示す図。
【図５】同実施の形態における応答器の外観を示す斜視図。
【図６】同実施の形態における受動反射型応答器の構成を示すブロック図。
【図７】同実施の形態におけるＰＯＳ端末装置の構成を示すブロック図。
【図８】同実施の形態における応答器の変形例である電池式再送信型応答器の構成を示すブロック図。
【図９】本発明の第２の実施の形態を示すシステム全体のブロック図。
【図１０】同実施の形態における受信器と発信器との送受信時の位置関係を示す部分斜視図。
【図１１】同実施の形態における受信器の構成を示すブロック図。
【図１２】同実施の形態における発信器の構成を示すブロック図。
【図１３】通報先への通報する捜索情報を地図情報を含む画面情報として送信する場合の例を示す図。
【符号の説明】
１…応答器
２…質問器
３…ＰＯＳ端末装置
４…バーコードスキャナ
６…ホストコンピュータ
Ｓ1 〜Ｓn …店舗
【図１】
0003742169.tif 000002
【図２】
0003742169.tif 000003
【図３】
0003742169.tif 000004
【図４】
0003742169.tif 000005
【図５】
0003742169.tif 000006
【図６】
0003742169.tif 000007
【図７】
0003742169.tif 000008
【図８】
0003742169.tif 000009
【図９】
0003742169.tif 000010
【図１０】
0003742169.tif 000011
【図１１】
0003742169.tif 000012
【図１２】
0003742169.tif 000013
【図１３】
0003742169.tif 000014